(57)【特許請求の範囲】
【請求項１】
ネットワークを介して第１の無線通信基地局と第２の無線通信基地局とに接続された情報処理装置であって、
周期的な所定期間に前記第１の無線通信基地局を介して前記第１の無線通信基地局の通信領域内に存在する携帯端末から識別子とともにユーザおよびその同行者の人数を表すデータを受信し、前記周期的な所定期間に受信した前記識別子の数を計数し、計数した前記識別子の数に基づいて該通信領域内に存在する携帯端末の数を計数し、計数した前記携帯端末の数および前記同行者の人数を表すデータに基づいて混雑状態を計算する計算手段と、
前記携帯端末からアクセスされたとき、前記第２の無線通信基地局を介して、計算した前記混雑状態を表す情報を前記携帯端末に提供する手段と、
を備えることを特徴とする、情報処理装置。
【請求項２】
前記携帯端末の識別子の送信間隔は、前記第１の無線通信基地局から送信され、通信トラフィックに応じた制御信号によって制御されるものであることを特徴とする、請求項１に記載の情報処理装置。
【請求項３】
通信範囲内に存在する第１の無線通信基地局に識別子とともにユーザおよびその同行者の人数を表すデータを送信する第１の無線通信部と、
第２の無線通信基地局との間で送受信して、複数の携帯端末によって送信され前記第１の無線通信基地局によって周期的な所定期間に受信された識別子の数に基づいて計数された携帯端末の数およびユーザの同行者の人数を表すデータに基づいて計算された混雑状態を表す情報を、前記第２の無線通信基地局から受信する第２の無線通信部と、
を備えることを特徴とする、携帯端末。
【発明の詳細な説明】
【０００１】
【発明の属する技術分野】
本発明は、地域的情報を収集し提供するシステムに関し、特に、イベント会場において、各地域内の入場者が所持している無線携帯端末から送信される特定のデータを収集してそのデータに基づいて複数の地域の混雑状態に関する情報を生成して各地域の情報として会場内の各携帯端末に提供するシステムに関する。
【０００２】
【従来の技術】
人によって入力されたイベント会場毎の混雑状況に関する情報をデータベースに蓄積しておいて、要求に応じて各無線携帯端末にその混雑情報を提供するシステムは公知である。
【０００３】
また、固定されたゲートを通過する人数または固定された２つのゲートの間を通過するのに要した時間からイベントの待ち人数または待ち時間を算出するシステムは公知である。しかし、そのシステムでは、そのゲートを通過した人数とイベントの所定のエリア内の実際の待ち人数とが異なることがあるので、その実際の待ち人数を正確にリアルタイムで把握することができない。
【０００４】
また、ＰＨＳ基地局エリア内の各ＰＨＳ携帯端末がその基地局にＩＤを送信するようにし、各携帯端末にその要求に応じてその基地局からその基地局エリア内や他の基地局エリア内の混雑状況に関する情報を提供するシステムは公知である。しかし、そのシステムでは、最大チャネル数を越える多数の携帯端末が１つの基地局エリア内に入って来てＩＤを送信しかつその混雑状況に関する情報を取得しようとすると、その基地局と携帯端末の間のトラフィックが限界に達して接続しにくい状態になって、各基地局エリア内の混雑状況を正確にリアルタイムで把握できなくなり、しかも携帯端末から一般の公衆電話回線網を介したその他の通話やインターネットを介したホームページへのアクセスや電子メール送受信も行いにくくなる。
【０００５】
一方、ブルートゥース(Bluetooth)規格のような近距離無線通信規格に従って近くの情報処理装置と通信する携帯情報処理機器が開発されている。ブルートゥース規格では、ＩＳＭ帯と呼ばれる２．４ＧＨｚ帯域（２．４０２〜２．４８０ＧＨｚ）が使用され、パワー・クラス１〜３（１ｍＷ、２．５ｍＷ、１００ｍＷ）が規定されており、そのクラスに応じて約１０ｍ〜約１００ｍの範囲の近距離通信が可能である。その規格ではＧＦＳＫ変調および周波数ホッピング方式が使用される。
【０００６】
また、例えばＩＥＥＥ８０２．１１仕様（規格）に従う使用周波数２．４ＧＨｚ帯（２．４０〜２．４９７ＧＨｚ）のスペクトラム直接拡散方式（ＤＢＰＳＫ変調、ＤＱＰＳＫ変調）または周波数ホッピング方式（ＧＦＳＫ変調）で通信を行う無線ＬＡＮの基地局を介して、別の情報処理装置との間で通信する無線通信機能を有する携帯（モバイル）端末が存在する。
【０００７】
【発明が解決しようとする課題】
ブルートゥース規格や無線ＬＡＮを用いて、各携帯端末から識別子を基地局に送信させることによって、例えば半径５〜１０ｍ程度の小領域に存在する携帯端末または人の数を求める場合、基地局の最大チャネル数を越えた数の携帯端末がその基地局内に入って来てかつ同じ基地局を介してその混雑状況に関する情報を取得しようとすると、上述のＰＨＳ基地局の場合と同様に、その基地局とそれらの携帯端末の間の通信トラフィックが限界に達して、基地局と携帯端末は必要な情報を受信しにくくなり、特に基地局は領域内に存在する携帯端末の識別子の全てを収集することができなくなる。
【０００８】
例えば、ブルートゥース規格に準拠した基地局および携帯端末を用いる場合、その通信領域を半径５ｍとして、携帯端末を持った多数の人が半径０．３ｍ内に１人の割合でイベントを待っていることを想定すると、その通信領域内に約２８０人いることなる。この場合、１ピコネット当たり７チャネル分確保するとしても、４０個以上のピコネットが必要となる。その場合、一定間隔の識別子のみの短い送受信は可能であるが、多数の人が同じ携帯端末を用いてそのイベントおよび他のイベントの混雑状況を知るために情報アクセスのための通信を行うと、通信トラフィックが限界に達して、基地局との間の接続が困難になる。携帯端末からのイベント情報へのアクセスをしばらく中断すれば、接続できるようになる可能性は高くなるが、その間は携帯端末から識別子を送信できないため、基地局の通信領域内にある携帯端末の数をリアルタイムで正確に計数することができなくなる。また、そのような形でブルートゥース規格の携帯端末を用いる場合、実際はせいぜい２０個のピコネットでの対応が限界である。しかし、２０個ではせいぜい１４０人への対応が限界で、イベントを待っている人数分の携帯端末に対応できない。
【０００９】
本発明の主たる目的は、比較的狭い領域において各無線携帯端末から正確に情報を収集しかつ各無線携帯端末に情報を提供するシステムを実現することである。
【００１０】
【課題を解決するための手段】
本発明の１つの特徴によれば、情報処理装置は、ネットワークを介して第１の無線通信基地局と第２の無線通信基地局とに接続されている。その情報処理装置は、周期的な所定期間にその第１の基地局を介して第１の基地局の通信領域内に存在する携帯端末から識別子とともにユーザおよびその同行者の人数を表すデータを受信し、その周期的な所定期間に受信したその識別子の数を計数し、計数したその識別子の数に基づいて通信領域内に存在する携帯端末の数を計数し、計数した携帯端末の数およびその同行者の人数を表すデータに基づいて混雑状態を計算する計算手段と、携帯端末からアクセスされたとき、第２の無線通信基地局を介して、計算した前記混雑状態を表す情報を携帯端末に提供する手段と、を備えている。
【００１１】
本発明の実施形態において、第１の無線通信基地局は、前記携帯端末の識別子の送信間隔を制御する制御信号を前記携帯端末に送信する。
【００１２】
本発明のさらに別の特徴によれば、携帯端末は、第１の無線通信基地局に識別子とともにユーザおよびその同行者の人数を表すデータを送信する第１の無線通信部と、第２の無線通信基地局との間で送受信して、複数の携帯端末によって送信され第１の無線通信基地局によって周期的な所定期間に受信された識別子の数に基づいて計数された携帯端末の数およびユーザの同行者の人数を表すデータに基づいて計算された混雑状態を表す情報を、第２の無線通信基地局から受信する第２の無線通信部と、を備えている。
【００１４】
【発明の実施の形態】
図１は、本発明による、比較的狭い１つの領域において各無線携帯端末から情報を収集しかつ各無線携帯端末に情報を提供するシステムの概略的構成を示している。そのために、エリア内情報収集および提供サーバ５０と、１つの通信領域内に少なくとも１つの第１の無線通信基地局２０、２１…と、その通信領域をカバーする第２の無線通信基地局３０とが設けられている。複数の基地局２０、２１…と、サーバ５０とは、ＬＡＮ（ローカル・エリア・ネットワーク）７２を介して接続されている。１つの領域内に基地局３０が複数ある場合は、その複数の基地局３０はＬＡＮまたは電話回線網等のネットワーク７２で互いに接続されている。ＬＡＮ７２上の基地局２０、２１およびサーバ５０と、ネットワーク７４上の基地局３０とは、さらに、例えばＬＡＮ、電話回線網および／またはインターネット等のネットワーク７０を介して互いに接続されている。あるいは、ネットワーク７０、７２および７４は１つのＬＡＮを形成するよう構成されていてもよい。但し、基地局２０と基地局３０とは、同じ位置に配置されていても、同じ通信領域内の互いに離れた位置に配置されていてもよい。基地局２０と３０は基本的に同様の機能を有するので、以下では主として基地局２０について説明する。
【００１５】
基地局２０は複数の携帯端末１０、１１、・・・１ｎの各々との間にＲＦ信号（電波）を送受信するための通信経路３を形成する。基地局３０は複数の携帯端末１０、１１、・・・１ｎの各々との間に別のＲＦ信号を送受信するための通信経路４を形成する。携帯端末１０、１１、・・・１ｎは、通信経路３で基地局２０に自己携帯端末に割り当てられた識別子（ＩＤ）およびそれに関連するデータだけを含んだＲＦ信号を送信し、別の通信経路４で別の基地局３０との間で様々な情報を送受信できる。携帯端末１０、１１、・・・１ｎは、通信経路４で基地局３０を経由して、さらに一般の公衆電話回線網を介した通話、およびインターネットを介したホームページへのアクセスおよび電子メール送受信を行えるようにしてもよい。
【００１６】
エリア内情報収集および提供サーバ５０は、基地局２０のエリア内の個々の携帯端末１０〜１ｎから送信された個々の識別子を受け取って記憶装置に格納し、その識別子の数を計数し、それによってエリア内の携帯端末１０〜１ｎの数を判定して保存する。通信経路３上では、携帯端末１０〜１ｎから基地局２０に基本的に識別子とそれに関連するデータだけが送信されるので、送受信されるデータ量は少なくて済む。エリア内情報収集および提供サーバ５０は、イベントを待つ人々が短時間に大きく移動することは少ないので、各携帯端末１０〜１ｎから周期的に例えば２〜３分の期間に２〜３分間隔でそれぞれの識別子に関するデータを取得すれば充分である。従って、通信経路３の通信トラフィックが限界に達することは極めて少なく、基地局２０の通信経路３の通信状態は良好に保たれる。
【００１７】
一方、各携帯端末１０〜１ｎは、通信経路４で基地局３０を介してエリア内情報収集および提供サーバ５０にアクセスして、そこに保存されている情報を受け取ることができる。基地局３０の通信経路４は、携帯端末１０〜１ｎからのアクセスが集中して通信トラフィックが限界に達してその携帯端末からサーバ５０への接続が困難になっても、しばらく待てば接続が可能になる。
【００１８】
このように、携帯端末１０〜１ｎとサーバ５０の間の通信経路を識別子用の送信経路３と地域情報用の通信経路４とに分離することによって、サーバ５０は、基地局３０の通信経路４のトラフィック増大の影響を受けることなく、基地局２０を介して各携帯端末１０〜１ｎから識別子を確実に取得でき、ほぼリアルタイムでエリア内の混雑状況を把握することができる。
【００１９】
例えば２０ｍ×３０ｍ程度の距離範囲の領域の基地局２０と携帯端末１０〜１ｎの間の通信には、近距離無線通信規格として、例えばブルートゥース規格または無線ＬＡＮ規格を適用すればよい。ブルートゥース規格を採用する場合、基地局２０に１つの周波数ホッピングパターンを使用する１つのピコネットを設けるとすると、１ピコネットで時分割７チャネルを確保でき、ホッピングパターンの異なる４０個のピコネットを用意すれば、１モジュールで合計２８０個の携帯端末に対応できる。その１チャネルにおいて識別子の送信間隔は、長くても２秒程度であり、７人に対して１４秒を要する。従って、イベントなどで待っている状態では、識別子は約３分毎に送信すれば充分である。基地局２０と同じ位置に、または基地局２０から離れたその同じ領域内の別の位置に、別の周波数チャネルを使用するモジュールを有する基地局２１を設けても、または基地局２０の近距離通信規格および基地局３０の通信規格のいずれとも異なる別の近距離通信規格に従うモジュールを有する基地局２１を設けてもよい。
【００２０】
一方、エリア情報等の情報の送受信を行う基地局３０と携帯端末１０〜１ｎの間の通信には、例えば近距離通信のＰＨＳ規格を用いてもよい。あるいは、その通信に、無線ＬＡＮ規格、または携帯電話（ＰＤＣ）等の移動体通信網規格を用いてもよい。
【００２１】
図２は携帯端末１０の構成を示している。携帯端末１０は、無線通信処理部１１、無線通信処理部１２、データ処理部１３、制御部１５、メモリ１５、スピーカＳＰおよびマイクロホンＭＣに接続された音声処理部１６、操作キー等の入力部１７および表示部１８を含んでいる。無線通信処理部１１と無線通信処理部１２は互いに異なる通信規格のモジュールである。無線通信処理部１１は、例えば近距離通信のＰＨＳのような携帯電話用通信モジュールであることが好ましく、無線ＬＡＮのような近距離無線通信モジュールであってもよい。無線通信処理部１２は、例えばブルートゥース規格のような近距離無線通信モジュールであることが好ましく、無線ＬＡＮ規格のモジュールであってもよい。無線通信処理部１２には２つ以上の周波数チャネルを設けてもよい。あるいは、携帯端末１０に、使用する周波数チャネルが互いに異なる無線通信処理部１２（モジュール）を２つ以上設けてもよい。その場合、無線通信処理部１２の一方の周波数チャネル（ｆ１）はそれと同じ周波数チャネルの基地局２０と通信し、他方の周波数チャネル（ｆ２）はそれと同じ周波数チャネルの基地局２１と通信するように構成できる。また、携帯端末１０は、無線通信処理部１１および無線通信処理部１２のいずれの通信規格とも異なる別の近距離無線通信規格に従う別の無線通信処理部（図示せず）を含んでいてもよい。その場合、その別の通信処理部はそれと同じ通信規格に従う基地局２１と通信するように構成できる。
【００２２】
携帯端末１０の無線通信処理部１２は、所定の周波数分割多重チャネル上の所定の時分割多重チャネル上で、基地局２０からの周期的要求に応答して、識別子を含んだ応答を基地局２０に送信する。基地局２０はその要求を送信した直後にその通信を切断（終了）する。無線通信処理部１２はその応答を送信した直後にその通信を切断（終了）する。あるいは、携帯端末１０の無線通信処理部１２は、基地局２０の要求とは関係なく、識別子およびそれに関連する短いデータを基地局２０に周期的に送信してもよい。基地局２０は通信経路３の通信トラフィックが上昇したことを検出したときは、基地局２０から携帯端末１０に識別子の送信間隔を長くするよう命令する制御信号を送ってもよい。また、携帯端末１０は、通信経路３の通信トラフィックに応じて動作して識別子の送信間隔を変化させてもよい。携帯端末１０は、その識別子に関連するデータとして、携帯端末のユーザ（即ち所持者）とその同行者の人数、各人の年齢、性別、等の個人データを、識別子に付加して無線通信処理部１２から基地局２０に送信してもよい。その個人データは、イベント会場に入場したときまたはその前に、携帯端末１０のユーザが入力部１７を操作することによってデータ入力され、そのデータをデータ処理部１３が処理してメモリ１５に予め格納されている。
【００２３】
携帯端末１０の無線通信処理部１１は基地局３０との間の通信に用いられる。
ユーザは、入力部１７を操作することによって、その無線通信処理部１１、基地局３０およびネットワーク７０を介してサーバ５０にアクセスしてそこに蓄積されている様々な情報にアクセスし、その情報を受信して携帯端末１０の表示部１８に表示させることができる。さらに、ユーザは、携帯端末１０の音声処理部１６および無線通信処理部１１を用いて、基地局３０を介して会場内の他の携帯端末との間で通話することもでき、さらに電話回線網７０を介して会場外の他の電話機との間で通話することもできる。
【００２４】
図３は、図１の構成の基地局２０とＬＡＮを介して接続されたエリア内情報収集および提供サーバ５０の構成をより詳細に示している。情報収集および提供サーバ５０は、エリア内情報保存手段５、エリア内情報蓄積手段６、情報処理手段７、および携帯端末ユーザ情報登録手段８で構成されている。これらの手段５、６、７および８はＬＡＮ７２を介して互いに接続されている。サーバ５０には、ＬＡＮ７２を介して、さらにイベント・エリアの例えば入口および／または出口に設けられたエリア内人数計数手段９が接続されていてもよい。エリア内人数計数手段９は、イベント・エリア内に現在滞在する人数（即ち、イベントを待っている人数と立っていない人数の合計）を計数または推定するためのもので例えばバー押し式カウンタまたはゲート通過人数カウンタを含んでいる。
【００２５】
図３のエリア内情報保存手段５は、基地局２０のエリア内の携帯端末１０〜１ｎから収集した識別子を保存し、さらにそれをエリア内情報処理手段７によって計数して求められた識別子の数すなわち携帯端末１０〜１ｎの数を保存する。
【００２６】
エリア内情報蓄積手段６は、種々のエリア情報のデータベースであり、少なくとも、エリア内の携帯端末１０〜１ｎの識別子（ＩＤ）と、携帯端末１０〜１ｎが基地局２０のエリア内に入った時間およびそのエリアから出た時間とを記録し、携帯端末１０〜１ｎによって閲覧可能な形に情報処理手段７によって加工処理された情報も蓄積する。エリア内情報蓄積手段６は、各イベントに関するその他の情報を蓄積して携帯端末１０〜１ｎに提供できるようにしてもよい。
【００２７】
蓄積手段６には、さらに、例えば、携帯端末の識別子、携帯端末のユーザとその同行者の人数、各人の年齢、性別、等の個人データが保存される。その個人データは、携帯端末ユーザ情報登録手段８によって登録され、ネットワーク７２経由して蓄積手段６に保存すればよい。その携帯端末ユーザ情報登録手段８は、任意の位置、例えば複数のイベントの会場の最初の入口に１つ設置すればよく、ネットワーク７２を介してサーバ５０のその他の手段５〜７に接続されている。
【００２８】
登録手段８は、基地局２０とは別の例えば最初の会場入口に設けられた基地局（図示せず）を介して、携帯端末１０〜１ｎから識別子および個人データを受信すればよい。あるいは、登録手段８は、基地局２０を介して携帯端末１０〜１ｎから識別子に付加されて送信されて来た個人データを受信して処理してもよい。このデータに基づいて、会場内の各年齢層毎の人数、各イベント毎の待ち時間、等の情報が得られる。イベントの主催者は、その情報に基づいてイベントをより効果的に運営することができる。
【００２９】
情報処理手段６は、周期的に所定期間におけるエリア内の識別子を計数してエリア内の携帯端末数を判定し、エリア内の携帯端末の数と人数に関する参照データとに基づいてエリア内の推定通過人数、参加待ち人数、およびその人数から予想待ち時間等を計算して、エリア内情報蓄積手段６に保存する。ユーザは、携帯端末１０〜１ｎを操作してその蓄積手段６にアクセスしてそこに保存されているイベント参加待ち推定人数およびその予想待ち時間等の情報を取得して、その表示部１８に表示することができる。
【００３０】
図４は、図１と同様の構成を有する複数の通信エリア１〜３を設けて各エリア間をＬＡＮ等のネットワーク８０を介して接続した場合の構成を示しているネットワーク８０は図１のＬＡＮ７２で構成してもよい。通信エリアは図１と同じ構成を有する。通信エリア２および３には、それぞれエリア内情報収集および提供サーバ５１および５２と、それぞれ第１の基地局２２および２３と、第２の基地局３１および３２とが設けられている。サーバ５０、５１および５２は、図３の構成に加えてネットワーク８０に接続するためのネットワーク・インタフェースを具えている（図示せず）。図４において、エリア１内の携帯端末１０は、エリア１内のサーバ５０を介してエリア３のサーバ５２にアクセスしてエリア３の地域情報（混雑情報）を取得することができる。これによって、エリア１内の携帯端末１０で他のエリア３のイベントの混雑状況を知ることができる。それによって、入場者は複数のイベント会場を効率良く回ることができ、また入場者を各イベントに効率良く分散させることができる。なお、図３の情報収集および提供サーバ５０の１つの登録手段８を、複数のエリア１〜３の各情報収集および提供サーバ５０〜５２によってネットワーク７０を介して共用するよう構成してもよい。
【００３１】
近距離無線通信経路３を介して得られる携帯端末の数は実際の人数と同じとは限らず、各人が１個の携帯端末を持たない限り実際の人数はそれより少なくなる。一方、エリア内情報処理手段７は、上述の個人データの携帯端末ユーザおよびその同行者の人数から各エリアにおける実際の人数をより正確に推定することができる。また、エリア内情報処理手段７は、携帯端末の数と参照データとから各エリアにおける実際の人数を推定することもできる。エリア内情報処理手段７は、さらにその人数に基づいて各イベントの予想待ち時間を計算してエリア内情報蓄積手段６に保存する。その際、イベント・エリアの例えば入口に設けられたエリア内人数計数手段９を用いて、入口における単位時間当たりの実際の通過人数やイベントへの参加人数を収集しさらに過去の統計データを参照することによって、より正確な予想待ち時間を求めて提供することができる。
【００３２】
以上説明した実施形態は典型例として挙げたに過ぎず、その変形およびバリエーションは当業者にとって明らかであり、当業者であれば本発明の原理および請求の範囲に記載した発明の範囲を逸脱することなく上述の実施形態の種々の変形を行えることは明らかである。
【００３３】
（付記１）  ネットワークを介して第１の無線通信基地局と第２の無線通信基地局とに接続された情報処理装置を具える情報提供システムであって、
前記情報処理装置は、前記第１の無線通信基地局を介して前記第１の無線通信基地局の所定の範囲内に存在する携帯端末から識別子を受信し、前記識別子を処理して情報を生成して記憶装置に格納し、
前記情報処理装置は、さらに、前記第２の無線通信基地局を介して、前記記憶装置に格納されている前記情報を前記携帯端末に送信するものであること、
を特徴とする、情報提供システム。
（付記２）  前記第１の無線通信基地局の通信規格と前記第２の無線通信基地局の通信規格とが異なることを特徴とする、付記１に記載の情報提供システム。
（付記３）  前記情報は予想待ち時間を表すものである、付記１に記載の情報提供システム。
（付記４）  前記情報は前記所定の範囲内に存在する携帯端末の数を表すものである、付記１に記載の情報提供システム。
（付記５）  前記情報は前記所定の範囲内に滞在する推定人数を表すものである、付記１に記載の情報提供システム。
（付記６）  前記情報処理装置は、前記第２の無線通信基地局を介して、前記携帯端末から要求を受信し、前記要求に応答して前記情報を前記携帯端末に送信するものであることを特徴とする、付記１に記載の情報提供システム。
（付記７）  前記情報処理装置は、前記第２の無線通信基地局を介して、前記携帯端末から要求を受信し、前記要求に応答して前記携帯端末に前記情報とは異なる別の情報を送信するものであり、
前記別の情報は、前記所定の範囲の外にある別の携帯端末の識別子を処理して生成されたものであることを特徴とする、付記１に記載の情報提供システム。
（付記８）  前記情報処理装置は、前記第２の無線通信基地局を介して、前記携帯端末から要求を受信し、前記要求に応答してネットワークを介して別の情報処理装置から前記情報とは異なる別の情報を受信して前記携帯端末に送信するものであることを特徴とする、付記１に記載の情報提供システム。
（付記９）  前記第１の無線通信基地局は、前記携帯端末の識別子の送信間隔を制御する制御信号を前記携帯端末に送信するものであることを特徴とする、付記１に記載の情報提供システム。
（付記１０）  前記第１の無線通信基地局は近距離通信規格に従うものであることを特徴とする、付記１に記載の情報提供システム。
（付記１１）  前記情報処理装置は、周期的な所定期間に受信した前記識別子に基づいて前記情報を生成するものであることを特徴とする、付記１に記載の情報提供システム。
（付記１２）  前記情報処理装置は、前記第１の無線通信基地局を介して前記第１の無線通信基地局の所定の範囲内に存在する携帯端末から識別子とともにユーザおよびその同行者に関するデータを受信して前記記憶装置に格納するものであることを特徴とする、付記１に記載の情報提供システム。
（付記１３）  前記第１の基地局の前記所定の範囲内の人数を計数する人数計数手段をさらに具える、付記１に記載の情報提供システム。
（付記１４）  前記携帯端末のユーザに関するデータを登録する手段をさらに具える、付記１に記載の情報提供システム。
（付記１５）  １つの領域に前記第１の無線通信基地局が複数設けられていることを特徴とする、付記１に記載の情報提供システム。
（付記１６）  前記識別子は前記所定の範囲において前記第１の無線通信基地局だけを介して受信され、前記情報は前記第２の無線通信基地局だけを介して受信されるものであることを特徴とする、付記１に記載の情報提供システム。
（付記１７）  所定の範囲内に存在する第１の無線通信基地局に識別子を送信する第１の無線通信部と、
第２の無線通信基地局との間で送受信して、前記第２の無線通信基地局から前記識別子に基づいて生成された情報を受信する第２の無線通信部と、
を具える、携帯端末。
（付記１８）  前記第１の無線通信部の通信規格と前記第２の無線通信部の通信規格とが異なることを特徴とする、付記１７に記載の携帯端末。
（付記１９）  前記情報は予想待ち時間を表すものである、付記１６に記載の携帯端末。
（付記２０）  前記情報は前記所定の距離範囲内に存在する携帯端末の数を表すものである、付記１７に記載の携帯端末。
（付記２１）  前記情報は前記所定の距離範囲内に滞在する推定人数を表すものである、付記１６に記載の携帯端末。
（付記２２）  前記所定の範囲の外にある別の携帯端末の識別子を処理して生成された別の情報を前記第２の無線通信基地局から受信することを特徴とする、付記１７に記載の携帯端末。
（付記２３）  前記第１の無線通信部は前記識別子を所定の間隔で送信するものであることを特徴とする、付記１７に記載の携帯端末。
（付記２４）  前記第１の無線通信部は、前記第１の無線通信基地局から受信した制御信号に従って、前記識別子の送信間隔を変更するものであることを特徴とする、付記１７に記載の携帯端末。
（付記２５）  前記第１の無線通信部は近距離通信規格に従うものであることを特徴とする、付記１７に記載の携帯端末。
（付記２６）  前記第１の無線通信部は、前記識別子とともにユーザおよびその同行者に関するデータを前記第１の無線通信基地局に送信するものであることを特徴とする、付記１７に記載の携帯端末。
（付記２７）  前記識別子は前記第１の無線通信部のみによって送信され、前記識別子に関連する情報は第２の無線通信部のみによって受信されるのもであることを特徴とする、付記１７に記載の携帯端末。
【００３４】
【発明の効果】
本発明は、前述の特徴によって、比較的狭い領域において携帯端末から情報を収集しかつ携帯端末に様々な情報を提供するシステムを実現できるという効果を奏する。
【図面の簡単な説明】
【図１】図１は、本発明による比較的狭い１つの領域において各携帯端末から情報を収集しかつ各携帯端末に情報を提供するシステムの概略的構成を示している。
【図２】図２は携帯端末の構成を示している。
【図３】図３は、図１の構成の第１の基地局とＬＡＮを介して接続されたエリア内情報収集および提供サーバの構成をより詳細に示している。
【図４】図４は、図１と同様の通信エリア１〜３を複数箇所設けて各エリア間をＬＡＮ等のネットワークで接続した場合の構成を示している。
【符号の説明】
１０、１１、・・・、１ｎ  携帯端末
２０、２１  第１の無線通信基地局
３０  第２の無線通信基地局
５０  エリア内情報収集および提供サーバ
７０  ネットワーク
７２  ＬＡＮ
７４  ネットワーク
【図１】
0004803890.tif 000002
【図２】
0004803890.tif 000003
【図３】
0004803890.tif 000004
【図４】
0004803890.tif 000005